(57)【要約】【課題】配信データの自動受信処理を利用する場合に安定した通信環境での通信を可能とし、かつ通信回数や通信時間の減少、消費電力の低下を図ることができる携帯端末装置を提供する。【解決手段】データ配信サーバからの配信データを受信可能な携帯端末装置であって、携帯端末装置の移動速度を取得する移動速度取得手段（ステップＳ３）と、移動速度取得手段による取得結果に基づいて、携帯端末装置の移動速度が予め設定された所定の閾値以下であるか否かを判定する移動速度判定手段（ステップＳ４）と、移動速度判定手段により、携帯端末装置の移動速度が閾値以下であると判定された場合、データ配信サーバより配信データの受信処理を開始する受信制御手段（ステップＳ５）とを備えた。【選択図】  図４
2010045628.tif 000002
【特許請求の範囲】
【請求項１】
データ配信サーバからの配信データを受信可能な携帯端末装置であって、
前記携帯端末装置の移動速度を取得する移動速度取得手段と、
前記移動速度取得手段による取得結果に基づいて、前記携帯端末装置の前記移動速度が予め設定された所定の閾値以下であるか否かを判定する移動速度判定手段と、
前記移動速度判定手段により、前記携帯端末装置の前記移動速度が前記閾値以下であると判定された場合、前記データ配信サーバより前記配信データの受信処理を開始する受信制御手段と
を備えたことを特徴とする携帯端末装置。
【請求項２】
データ配信サーバからの配信データを受信可能な携帯端末装置であって、
前記携帯端末装置の移動速度を取得する移動速度取得手段と、
前記移動速度取得手段による取得結果に基づいて、前記携帯端末装置の前記移動速度が予め設定された所定の閾値以下であるか否かを判定する移動速度判定手段と、
前記移動速度判定手段により、前記携帯端末装置の前記移動速度が前記閾値より大きい判定された場合、前記データ配信サーバより前記配信データの受信処理を制限する受信制御手段と
を備えたことを特徴とする携帯端末装置。
【請求項３】
前記移動速度取得手段は、前記受信処理が完了するまで継続して前記携帯端末装置の前記移動速度の取得を行い、
前記移動速度判定手段により、前記携帯端末装置の前記移動速度が前記閾値より大きいと判定された場合、前記受信制御手段は、前記配信データの受信処理を中断する請求項１記載の携帯端末装置。
【請求項４】
前記移動速度取得手段は、前記受信制御手段により前記配信データの受信処理が中断された後においても継続して前記携帯端末装置の前記移動速度の取得を行い、
前記移動速度判定手段により前記携帯端末装置の前記移動速度が前記閾値以下であると判定された場合、前記受信制御手段は受信済みデータを参照し、前記配信データのうち未受信データに該当する前記配信データの受信処理を再開する請求項３記載の携帯端末装置。
【請求項５】
前記移動速度取得手段により、少なくとも所定時間継続して前記閾値以下の前記移動速度が取得された場合、
前記移動速度判定手段は、前記携帯端末装置の前記移動速度が前記閾値以下であると判定する請求項１記載の携帯端末装置。
【請求項６】
前記移動速度取得手段により、少なくとも所定時間継続して前記閾値より大きい移動速度が取得された場合、
前記移動速度判定手段は、前記携帯端末装置の前記移動速度が前記閾値より大きいと判定する請求項１記載の携帯端末装置。
【請求項７】
前記データ配信サーバより前記配信データの受信処理を開始する日時を設定する設定手段をさらに備え、
前記移動速度取得手段は、前記設定手段により設定された前記日時において前記移動速度の取得を開始し、前記配信データの受信処理の完了時に取得を終了する請求項１記載の携帯端末装置。
【請求項８】
前記携帯端末装置の移動に伴う加速度を検出する加速度センサをさらに備え、
前記移動速度取得手段は、前記加速度センサにより検出された加速度に基づき前記移動速度を取得する請求項１記載の携帯端末装置。
【発明の詳細な説明】
【技術分野】
【０００１】
本発明は、携帯端末装置に係り、特にデータ通信サービスの利用時に好適に自動ダウンロードを行う携帯端末装置に関する。
【背景技術】
【０００２】
近年、携帯電話機などの携帯端末装置は、Ｗｅｂサイトの閲覧や電子メールの送受信、動画データや音楽データのダウンロードなどのネットワーク通信機能が備えられ、データ通信サービスが広く利用されるようになった。
【０００３】
これらのデータ通信サービスの利用形態の一つとして、Ｗｅｂサイトの閲覧や電子メールの送信など、ユーザの任意のタイミングにおいて意図的に行われるものがある。また、他の利用形態として、ユーザの操作に起因せず定期的または随時、データ通信サーバからコンテンツの自動配信が行われるデータ通信サービスもある（例えば、特許文献１。）。
【０００４】
後者の利用形態については、複数の通信を同時に行うことができない携帯端末装置である場合、配信データの受信処理中にユーザ操作によりデータ通信サービスが利用されると、配信データの受信処理は中断される構成となっていた。このため、自動配信を利用した配信データの受信処理は、ユーザが使用しない夜間の時間帯を利用して実施されることで、受信処理の中断や失敗を回避していた。
【特許文献１】特開２００８−９０５１２号公報
【発明の開示】
【発明が解決しようとする課題】
【０００５】
携帯端末装置におけるネットワーク通信環境は、携帯端末装置の電界状態や移動状態が大きく影響する。このため、配信データの受信処理の成功率についても、電界状態や移動状態に左右される。すなわち、高速移動状態に比べて、静止状態や低速移動状態である場合には安定した通信環境を維持することができ、配信データの受信処理の成功率を向上させることができる。
【０００６】
これに対し、ユーザ操作による影響が最も少ないと想定される時間帯であるか否かにより配信データの受信処理の開始条件が決定された場合には、通信環境の悪化により配信データの受信処理が失敗する可能性があった。
【０００７】
また、通信環境が不安定な状態で配信データの受信処理が開始された場合には、通信環境の悪化による受信処理の失敗により、リトライ回数や通信時間の増加、更には消費電力の増加を引き起こすという課題もあった。さらに、携帯端末装置が高速移動を行っている場合にはハンドオフの頻度が高くなり、消費電力の増加を引き起こすという課題があった。
【０００８】
また、今日の携帯端末装置の高性能化に伴い、携帯端末装置に配信される配信データのデータ量は大きくなる傾向にあり、配信データの受信処理の完了までには比較的長時間を要している。このため、携帯端末装置が高速移動を行っている場合には、通信環境の変動やハンドオフの可能性がさらに高くなっていた。
【０００９】
本発明はこのような事情を考慮してなされたもので、配信データの自動受信処理を利用する場合に安定した通信環境での通信を可能とし、かつ通信回数や通信時間の減少、消費電力の低下を図ることができる携帯端末装置を提供することを目的とする。
【課題を解決するための手段】
【００１０】
本発明に係る携帯端末装置は、上述した課題を解決するために、データ配信サーバからの配信データを受信可能な携帯端末装置であって、前記携帯端末装置の移動速度を取得する移動速度取得手段と、前記移動速度取得手段による取得結果に基づいて、前記携帯端末装置の移動速度が予め設定された所定の閾値以下であるか否かを判定する移動速度判定手段と、前記移動速度判定手段により、前記携帯端末装置の移動速度が前記閾値以下であると判定された場合、前記データ配信サーバより前記配信データの受信処理を開始する受信制御手段とを備えたことを特徴とする。
【００１１】
また、本発明に係る携帯端末装置は、データ配信サーバからの配信データを受信可能な携帯端末装置であって、前記携帯端末装置の移動速度を取得する移動速度取得手段と、
前記移動速度取得手段による取得結果に基づいて、前記携帯端末装置の前記移動速度が予め設定された所定の閾値以下であるか否かを判定する移動速度判定手段と、前記移動速度判定手段により、前記携帯端末装置の前記移動速度が前記閾値より大きい判定された場合、前記データ配信サーバより前記配信データの受信処理を制限する受信制御手段とを備えたことを特徴とする。
【発明の効果】
【００１２】
本発明に係る携帯端末装置は、安定した通信環境での配信データの受信処理を可能とし、かつ通信回数や通信時間の減少、消費電力の低下を図ることができる。
【発明を実施するための最良の形態】
【００１３】
本発明に係る携帯端末装置の実施形態を添付図面に基づいて説明する。図１は、本発明に係る携帯端末装置の一例である折りたたみ式の携帯電話機１の外観の構成を示す図である。図１（Ａ）は、携帯電話機１を約１８０度に開いた開状態のときの正面から見た外観の構成を示し、図１（Ｂ）は、携帯電話機１を開状態としたときの側面から見た外観の構成を示す。
【００１４】
図１（Ａ）および（Ｂ）に示されるように、携帯電話機１は、中央のヒンジ部１１を境に第一の筐体１２と第二の筐体１３とがヒンジ結合されており、ヒンジ部１１を介して矢印Ｘ方向に折り畳み可能に形成される。携帯電話機１の内部の所定の位置には、送受信用のアンテナ（後述する図３のアンテナ３１）が設けられており、内蔵されたアンテナを介して基地局（図示せず）との間で電波を送受信する。
【００１５】
第一の筐体１２には、その表面に「０」から「９」の数字キー、発呼・応答キー、リダイヤルキー、終話・電源キー、クリアキー、およびメニューキーなどの操作キー１４が設けられており、操作キー１４を用いて各種指示を入力することができる。
【００１６】
第一の筐体１２には、操作キー１４として上部に十字キー１５と確定キー１６が設けられている。十字キー１５には、上方向キー、下方向キー、右方向キー、左方向キーが設けられており、使用者が十字キー１５を上下左右方向に操作することによりメインディスプレイ２２に表示されたカーソルなどを上下左右方向に移動させることができる。また、確定キー１６を押下することにより、種々の機能を確定することができる。確定キー１６には、メインディスプレイ２２の下部に設けられた確定キー機能表示部２２ａに表示される処理も割り当てられる。
【００１７】
さらに、第一の筐体１２には、左ソフトキー１７および右ソフトキー１８が十字キー１５および確定キー１６の上部にそれぞれ設けられる。第一の筐体１２の側面には、携帯電話機１の操作を行うサイドキー１９が設けられる。左ソフトキー１７、右ソフトキー１８およびサイドキー１９は、第一の筐体１２の内部方向に押下されることによって、それぞれ所定の処理が割り当てられている。特に左ソフトキー１７および右ソフトキー１８は、メインディスプレイ２２の下部に設けられた左ソフトキー機能表示部２２ｂおよび右ソフトキー機能表示部２２ｃに表示される処理が割り当てられる。
【００１８】
第一の筐体１２には、操作キー１４の下部にマイクロフォン２０が設けられており、マイクロフォン２０によって通話時の使用者の音声を集音する。
【００１９】
なお、第一の筐体１２は、背面側に図示しないバッテリパックが挿着されており、終話・電源キーが押下されてオン状態になると、バッテリパックから各回路部に対して電力が供給されて動作可能な状態に起動する。
【００２０】
一方、第二の筐体１３には、その正面にメインディスプレイ２２が設けられており、電波の受信状態、電池残量の他、電子メールの内容、簡易ホームページなどを表示することができる。なお、メインディスプレイ２２は、例えばＬＣＤ（Ｌｉｑｕｉｄ  Ｃｒｙｓｔａｌ  Ｄｉｓｐｌａｙ）、有機ＥＬ（ＥｌｅｃｔｒｏＬｕｍｉｎｅｓｃｅｎｃｅ）ディスプレイ、無機ＥＬ（ｉｎｏｒｇａｎｉｃ  ＥｌｅｃｔｒｏＬｕｍｉｎｅｓｃｅｎｃｅ）ディスプレイにより構成されるディスプレイである。
【００２１】
また、メインディスプレイ２２の上部の所定の位置にはレシーバ（受話器）２３が設けられており、これにより、使用者は音声通話することが可能である。なお、携帯電話機１の所定の位置には、レシーバ２３以外の音声出力部としてのスピーカ（図示せず）も設けられている。テレビ電話通信時には、このスピーカから通話相手の音声が出力される。
【００２２】
図２は、本発明に係る携帯端末装置の一例である折りたたみ式携帯電話機１の他の外観の構成を示す図である。図２の携帯電話機１は、図１の携帯電話機１の状態から矢印Ｘ方向に回動させた閉状態を構成する。図２（Ａ）は、携帯電話機１が閉状態のときの正面から見た外観の構成を示し、図２（Ｂ）は、携帯電話機１が閉状態のときの側面から見た外観の構成を示す。
【００２３】
第二の筐体１３には、例えばＬＣＤで構成されるサブディスプレイ２４が設けられており、現在のアンテナの感度のレベルを示すアンテナピクト、携帯電話機１の現在の電池残量を示す電池ピクト、現在の時刻などが表示される。
【００２４】
図３は、本実施形態における携帯電話機１の内部の構成を示す図である。図示せぬ基地局から送信されてきた無線信号は、アンテナ３１で受信された後、アンテナ共用器（ＤＵＰ）３２を介して受信回路（ＲＸ）３３に入力される。受信回路３３は、受信された無線信号を周波数シンセサイザ（ＳＹＮ）３４から出力された局部発振信号とミキシングして中間周波数信号に周波数変換（ダウンコンバート）する。そして、受信回路３３は、このダウンコンバートされた中間周波数信号を直交復調して受信ベースバンド信号を出力する。
【００２５】
受信回路３３からの受信ベースバンド信号は、ＣＤＭＡ信号処理部３６に入力される。ＣＤＭＡ信号処理部３６は、図示せぬＲＡＫＥ受信機を備える。このＲＡＫＥ受信機では、受信ベースバンド信号に含まれる複数のパスがそれぞれの拡散符号（すなわち、拡散された受信信号の拡散符号と同一の拡散符号）で逆拡散処理される。そして、この逆拡散処理された各パスの信号は、位相が調停された後、コヒーレントＲａｋｅ合成される。Ｒａｋｅ合成後のデータ系列は、デインタリーブおよびチャネル復号（誤り訂正復号）が行われた後、２値のデータ判定が行われる。これにより、所定の伝送フォーマットの受信パケットデータが得られる。この受信パケットデータは、圧縮／伸張処理部３７に入力される。
【００２６】
圧縮／伸張処理部３７は、ＤＳＰ（Ｄｉｇｉｔａｌ  Ｓｉｇｎａｌ  Ｐｒｏｃｅｓｓｏｒ）などにより構成され、ＣＤＭＡ信号処理部３６から出力された受信パケットデータを図示せぬ多重分離部によりメディアごとに分離し、分離されたメディアごとに対してそれぞれ復号処理を行う。
【００２７】
圧縮／伸張処理部３７のビデオコーデックにて復号されたディジタル動画像信号は、制御部４１に入力される。制御部４１は、圧縮／伸張処理部３７から出力されたディジタル動画像信号に基づく動画像を、図示せぬビデオＲＡＭ（例えばＶＲＡＭなど）を介してメインディスプレイ２２に表示させる。
【００２８】
一方、通話モードにおいて、マイクロフォン２０に入力された話者（使用者）の音声信号（アナログオーディオ信号）は、送話増幅器４０により適正レベルまで増幅された後、ＰＣＭコーデック３８によりＰＣＭ符号化される。このＰＣＭ符号化後のディジタルオーディオ信号は、圧縮／伸張処理部３７に入力される。また、制御部４１にて作成された電子メールなどのテキストデータも圧縮／伸張処理部３７に入力される。
【００２９】
圧縮／伸張処理部３７は、ＰＣＭコーデック３８から出力されたディジタルオーディオ信号を所定の送信データレートに応じたフォーマットで圧縮符号化する。これにより、オーディオデータが生成される。また、圧縮／伸張処理部３７は、制御部４１から出力されたディジタル動画像信号を圧縮符号化して動画像データを生成する。そして、圧縮／伸張処理部３７は、これらのオーディオデータや動画像データを図示せぬ多重分離部で所定の伝送フォーマットに従って多重化した後にパケット化し、パケット化後の送信パケットデータをＣＤＭＡ信号処理部３６に出力する。
【００３０】
ＣＤＭＡ信号処理部３６は、圧縮／伸張処理部３７から出力された送信パケットデータに対し、送信チャネルに割り当てられた拡散符号を用いてスペクトラム拡散処理を施し、スペクトラム拡散処理後の出力信号を送信回路（ＴＸ）３５に出力する。送信回路３５は、スペクトラム拡散処理後の信号をＱＰＳＫ（Ｑｕａｄｒａｔｕｒｅ  Ｐｈａｓｅ  Ｓｈｉｆｔ  Ｋｅｙｉｎｇ）方式などのディジタル変調方式を使用して変調する。送信回路３５は、ディジタル変調後の送信信号を、周波数シンセサイザ３４から発生される局部発振信号と合成して無線信号に周波数変換（アップコンバート）する。そして、送信回路３５は、制御部４１により指示される送信電力レベルとなるように、このアップコンバートにより生成された無線信号を高周波増幅する。この高周波増幅された無線信号は、アンテナ共用器３２を介してアンテナ３１に供給され、このアンテナ３１から図示せぬ基地局に向けて送信される。
【００３１】
制御部４１は、ＣＰＵ（ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、およびＲＡＭ（Ｒａｎｄｏｍ  Ａｃｃｅｓｓ  Ｍｅｍｏｒｙ）などからなり、ＣＰＵは、ＲＯＭに記憶されているプログラムまたは記憶部４２からＲＡＭにロードされた各種のアプリケーションプログラムに従って各種の処理を実行するとともに、種々の制御信号を生成し、各部に供給することにより携帯電話機１を統括的に制御する。ＲＡＭは、ＣＰＵが各種の処理を実行する上において必要なデータなどを適宜記憶する。また、制御部４１はビデオＲＡＭも備え、メインディスプレイ２２に表示される映像に関する情報が一時的に格納される。
【００３２】
記憶部４２は、例えば、電気的に書換えや消去が可能な不揮発性メモリであるフラッシュメモリ素子やＨＤＤ（Ｈａｒｄ  Ｄｉｓｃ  Ｄｒｉｖｅ）などからなり、制御部４１のＣＰＵにより実行される種々のアプリケーションプログラムや種々のデータ群を格納している。電源回路４４は、バッテリ４３の出力を元に所定の動作電源電圧Ｖｃｃを生成して各回路部に供給する。時計回路４５は、現在の時刻を正確に計時する。
【００３３】
加速度センサ４６は、携帯電話機１に加わる加速度の大きさを検出し出力するセンサである。本実施形態においては、携帯電話機１の移動による加速度の大きさが出力できるものであればよく、少なくとも水平一軸方向の加速度の大きさが出力できればよい。
【００３４】
本実施形態における携帯電話機１は、定期的または随時、データ配信サーバから配信データの自動配信が行われるデータ通信サービスを利用する際に、携帯電話機１の移動状態を考慮しながら、好適に配信データの受信処理（ダウンロード）を行うことができる。例えば、携帯電話機１の移動速度が閾値以上であれば、データ通信サービスを利用する際に、通信環境の悪化やハンドオフの可能性が予想される高速状態であるとみなし、移動速度が閾値以下と判断されるまで配信データの受信処理を制限（禁止）することとなる。
【００３５】
なお、配信データの受信処理は、携帯電話機１に予め記憶された（データ通信サービス側から指定されて受信した）データ配信サービスの受信日時に基づいて、携帯電話機１がユーザの意図する操作にかかわらず自動的にデータ配信サーバへアクセスして配信データをダウンロードする処理を言う。
【００３６】
以下、携帯電話機１の制御部４１による配信データの自動受信処理について説明する。図４は、本実施形態における携帯電話機１の制御部４１により実行される自動受信処理を説明するフローチャートである。
【００３７】
ステップＳ１において、制御部４１は、現在の日時が予め設定されたデータ通信サービスにおける配信データの受信処理（ダウンロード）を開始する受信日時であるか否かの判定を行う。配信データの受信処理を開始する日時は、データ配信サーバまたはユーザ任意で予め指定された受信日時に関する情報に基づいて、設定手段としての制御部４１により設定されている。制御部４１は、現在の日時が受信処理を開始する受信日時ではないと判定した場合、受信日時となるまで処理を待機する。
【００３８】
一方、制御部４１は、現在の日時が受信日時であると判定した場合、ステップＳ２において加速度センサ４６を起動させる。
【００３９】
ステップＳ３において、制御部４１は、携帯電話機１の移動速度を取得する。すなわち、制御部４１は、加速度センサ４６で検出され出力された加速度の大きさに基づき、携帯電話機１の移動速度を推測して取得する。
【００４０】
ステップＳ４において、制御部４１は、携帯電話機１の移動速度が予め設定された所定の閾値以下であるかの判定を行う。このとき用いられる移動速度の閾値は、予め記憶部４２などに記憶されている。この閾値は、小さく設定することでより安定した通信環境下での受信処理を実行することができる。移動速度の閾値は、安定した通信環境が得られる大きさに設定されるのが好ましく、例えば自動車や自動二輪車などの移動速度である数十ｋｍ／ｈ程度に設定することが考えられる。
【００４１】
また、制御部４１は、少なくとも所定時間継続して閾値以下の移動速度を取得した場合に、「携帯電話機１の移動速度が閾値以下」であると判定する。同様に制御部４１は、少なくとも所定時間継続して閾値より大きい移動速度を取得した場合に、「携帯電話機１の移動速度が閾値より大きい」と判定する。これにより、移動状態の変動による影響を小さくして判定処理を行うことができる。
【００４２】
制御部４１は、携帯電話機１の移動速度が閾値より大きいと判定した場合、携帯電話機１の移動速度が閾値以下となるまで移動速度の検出を継続させる。なお、ステップＳ４において、移動速度が閾値より大きいと判定された場合、所定の時間の間隔をおいて再度ステップＳ４の判定を行うようにしても良い。
【００４３】
一方、制御部４１は携帯電話機１の移動速度が閾値以下であると判定した場合、ステップＳ５において所定の配信データの受信処理を開始する。以上で、自動受信処理の説明を終了する。
【００４４】
次に、図４の自動受信処理において受信処理が開始された後に、継続して実行される移動速度監視処理について説明する。図５は、本実施形態における携帯電話機１の制御部４１により実行される移動速度監視処理を説明するフローチャートである。
【００４５】
ステップＳ１１において、制御部４１は、携帯電話機１の移動速度が予め設定された閾値以下であるかの判定を行う。この判定処理は、図４の自動受信処理における移動速度判定ステップＳ４における処理とほぼ同様の処理であるため詳細な説明は省略する。
【００４６】
制御部４１は、携帯電話機１の移動速度が閾値以下であると判定した場合、ステップＳ１２において、配信データの受信処理を維持し、処理はステップＳ１７に進む。
【００４７】
一方、制御部４１は、携帯電話機１の移動速度が閾値より大きいと判定した場合、ステップＳ１３において配信データの受信処理を中断する。
【００４８】
ステップＳ１４において、制御部４１は、図４の自動受信処理の受信処理開始ステップＳ５から、受信処理中断ステップＳ１３においてダウンロードが中断されるまでの間に受信された受信済みデータを記憶する。制御部４１は、受信済みデータを例えば記憶部４２に記憶する。
【００４９】
ステップＳ１５において、制御部４１は、携帯電話機１の移動速度が閾値以下であるか判定を行う。この判定処理は、移動速度判定ステップＳ１１における処理とほぼ同様の処理であるため詳細な説明は省略する。
【００５０】
制御部４１は、携帯電話機１の移動速度が閾値より大きいと判定した場合、携帯電話機１の移動速度が閾値以下となるまで移動速度の検出を継続させる。なお、ステップＳ１５において移動速度が閾値より大きいと判定された場合、所定の時間の間隔をおいて再度ステップＳ１５の判定を行うようにしてもよい。
【００５１】
一方、制御部４１は、携帯電話機１の移動速度が閾値以下であると判定した場合、ステップＳ１６において、配信データの受信処理を再開する。このとき、制御部４１は、受信済みデータ記憶ステップＳ１４において記憶された受信済みデータを参照し、データ配信サーバより配信される配信データのうち、未受信データに該当する配信データの受信処理を行う。
【００５２】
ステップＳ１７において、制御部４１は、データ配信サーバより配信データの受信処理が完了したか否かの判定を行う。制御部４１は、ダウンロードが完了していないと判定した場合、移動速度判定ステップＳ１１に戻り以降の処理を繰り返す。
【００５３】
一方、制御部４１は配信データの受信処理が完了したと判定した場合、ステップＳ１８において受信処理を終了し、加速度センサ４６を停止する。以上で、移動速度監視処理の説明を終了する。
【００５４】
この携帯電話機１によれば、携帯電話機１の移動速度に応じて配信データの受信処理の開始を判断するため、通信環境が良好である状態で受信処理を開始することができる。このため、携帯電話機１の移動速度を監視し、通信環境が良好である場合のみに受信処理を開始させることができる、受信処理開始後における受信処理の中断率や失敗率を低下させることができ、効率よく配信データを取得することができる。
【００５５】
また、受信処理開始後においても携帯電話機１の移動速度を常時監視するため、通信環境の悪化やハンドオフの可能性が予想される高速状態での移動に移行した場合には、速やかに受信処理を中断させることができる。また、受信処理の中断時においては、既に受信した受信済みの配信データを記憶しておき、受信処理の再開時には未受信の配信データのみの受信を行うことができる。このため、再度の受信処理における不要な受信処理や通信時間の増加を抑制することができるため、さらには携帯電話機１の消費電力の低下をも図ることができる。
【００５６】
なお、本実施形態においては、携帯電話機１の移動速度のみをダウンロード開始条件として用いたが、携帯電話機１のユーザの意図した通信状態や操作状態、携帯電話機１の筐体の開閉状態やバックライトの点灯状態なども判定条件に加えることで、より安定した環境で自動ダウンロードを行うことができる。
【００５７】
また、図４の自動受信処理の移動速度判定ステップＳ４、図５の移動速度判定ステップＳ１１およびＳ１５における移動速度の閾値、移動速度を判定するための継続時間は、同一条件であってもよいし、異なる条件で設定してもよい。
【００５８】
また、本発明は携帯電話機１以外にもＰＤＡ（Ｐｅｒｓｏｎａｌ  Ｄｉｇｉｔａｌ  Ａｓｓｉｓｔａｎｔ）、パーソナルコンピュータ、携帯型ゲーム機、携帯型音楽再生機、携帯型動画再生機、その他の情報配信サービスにより配信データのダウンロードが可能な携帯端末装置にも適用することができる。
【００５９】
また、本発明の実施形態において説明した一連の処理は、ソフトウェアにより実行させることもできるが、ハードウェアにより実行させることもできる。
【図面の簡単な説明】
【００６０】
【図１】本発明に係る携帯端末装置の一例である折りたたみ式の携帯電話機の外観の構成を示す図。
【図２】本発明に係る携帯電話機の一例である折りたたみ式携帯電話機１の他の外観の構成を示す図。
【図３】本実施形態における携帯電話機１の内部の構成を示す図。
【図４】本実施形態における携帯電話機の制御部により実行される自動受信処理を説明するフローチャート。
【図５】本実施形態における携帯電話機の制御部により実行される移動速度監視処理を説明するフローチャート。
【符号の説明】
【００６１】
１  携帯電話機
１１  ヒンジ部
１２  第一の筐体
１３  第二の筐体
１４  操作キー
１５  十字キー
１６  確定キー
１７  左ソフトキー
１８  右ソフトキー
１９  サイドキー
２０  マイクロフォン
２２  メインディスプレイ
２２ａ  確定キー機能表示部
２２ｂ  左ソフトキー機能表示部
２２ｃ  右ソフトキー機能表示部
２３  レシーバ
２４  サブディスプレイ
４１  制御部
４２  記憶部
４５  時計回路
４６  加速度センサ
【図１】
2010045628.tif 000003
【図２】
2010045628.tif 000004
【図３】
2010045628.tif 000005
【図４】
2010045628.tif 000006
【図５】
2010045628.tif 000007